(57)【要約】【課題】発電機を直結した回転翼の周囲に、風力を有効に導入する、固定したガイド翼を有した、垂直型風力発電機を吊り下げて、其の下部に発電機が通過出来る円筒を設置して、回転の増減如何により、吊り下げた発電機が出入りする様に、電気制御で行って出力の安定を行ったもの。【解決手段】回転翼１３の周囲に固定翼７と之を保持する上下保持器２と発電機とを、一体としたブロックを、支柱４の枠組に吊り下げて、其の下部に円筒８をもうけ、電気制御によって上記ブロックが円筒８を出入りする事により、出力の均一化を計った。【選択図】                  図１
2004308634.tif 000002
【特許請求の範囲】
【請求項１】
固定翼に囲まれた事により、吊り下げて上下移動可能な、多段式風力発電機の下部に、通過可能な円筒を設置する、
之が電気制御と吊り下げ動力と連携して、上記発電機を円筒に出し入れする事に依り、出力の調整が可能とした、吊り下げ式風力発電装置。
【発明の詳細な説明】
【０００１】
【本発明の属する技術分野】
本発明は、垂直型風力発電機の分野に於ける、設置方式に関わるものである
【０００２】
【従来の技術】
【０００３】
【特許文献】
特許出願の時点に於いて、特許庁電子図書館に於いて調べたが、本件に係わるものは無かった。
【０００４】
【発明が解決しようとする課題】
本発明は出願人が先に開発した、高能率な垂直形風車（特許公開２００３−２８０４４）を開発した結果、更に「吊り下げ可能な垂直形風力発電機」（以下吊下発電とゆう）を思考するに至った、この方式によれば次に示す様な、より合理的且つ経済的な方策が思考されるので、之が特徴の数々を下記に列挙する。
（１）上記吊下発電は、図２及び図３に示す如く、固定部分２，７，と、回転部分１３及び発電機１７とが一体として構成しているので、吊り下げが可能である、
（２）「吊下発電図３」の「上下保持器２」の両側面に対承的に「ガイドローラー３」を取り付けも、可能である。
（３）「ガイドローラー３」に対応して溝形綱等の、「ガイド用支柱４」を立てる事により固定部分は回転阻止されたまま、「吊下発電図３」は上下に移動可能と、する事が出来る。
（４）「ガイド用支柱４」は下部を、据え付け可能の状態に構成し、上部は「吊り構え５」を渡して、之に「巻き上げ用ローラー６」を当設し、ワイヤーにより、「釣り手１」より順次ローラーを経て、「巻き上げ機図５」の「ドラム９」に接続して、「吊下発電３」を吊り下げる事が出来る。
（５）「円筒８」は「吊下発電図３」を上限近く巻き上げた状態の時、其の下部近く、「吊下発電図３」が通過可能の状態に、「支柱４」に当設する事により、「吊下発電３」は風力如何により、「円筒８」に出入りして出力調整を可能とし、強風時には地上に降ろす事も可能とする。
（６）上記状態に於いて別置きの、電気制御と「巻き上げ機図５」の「モーター１２」と連携して、「吊下発電図３」を、「円筒８」に出入りさせることに依り、出力電圧等の均一化も容易であるとかんがえられる。
（７）「吊下発電図３」は比較的軽量化が可能であるが、バランシートを付ける事も可能である。
以上の如く新発電機の派生を見るに至り、従来の組立方式で想像の出来ない、吊り下げ方法を見いだした。
【０００５】
【課題を解決するための手段】
上記の問題を解決するために、図３に示す如く「吊り下げ可能な多段式垂直型発電機」を考えた、図３は一例として基準的風車に一段重ねた図である、之が上部に「釣り手１」を当設し、「上下保持器２」の側面に、対象的に４個のガイドローラー３を当設した、
図４は吊り下げ用支柱の組図を示す、溝型の型材である「支柱４」を向かい合わせて、「ガイドローラー３」に接して直立し、下部は据え付け場所に対応した状態に、コンモンベースとして組あげる、上部は「吊り構え５」を渡して其の上に「吊り上げ用ローラー６」を当設し、ワイヤーにより、「釣り手１」より「吊り上げ用ローラー６」を介して「巻き上げ機図５」の「ドラム９」とを接続して、「吊下発電図３」を巻き上げて図１に示す如く吊り下げる。
次に「円筒８」に就いて説明する、此の「円筒８」の位置は「吊下発電図３」が吊り下げ位置の最上部に位置した時、其の下部を目標として、「支柱４」に「吊下発電図３」が内部を通過出来る様に当設する、此の「円筒８」の目的は、「巻き上げ機図５」にて、「吊下発電図３」を操作して、「円筒８」に出し入れする事により、電力の安定化を行う事と、必要以上の強風の時、「吊下発電図３」を格納する為である、その他修理点検改装等の時は、「円筒８」を通過して地上に降ろす事も可能とした、
次に「巻き上げ機図５」に就いて説明する、吊り下げワイヤーの先端は図５の「ドラム９」に接続し、「ドラム９」は「ウオーム１０」、「ウオームホイル１１」、「モーター１２」により作動して、吊り下げられた「吊下発電図３」を上下に作動する、此の作動は本願を制御する制御盤と連携して、電圧の変動又は回転数の変動に応じて「巻き上げ機図５」を作動させる事により、容易に出力の均一化をはかる事が出来る、「巻き上げ機図５」の取り付け場所は、設備位置に応じ、適当な処を選定して装着するものとする。
【０００６】
【発明の実施の形態】
「吊下発電図３」に就いて説明する、
回転部と固定部と発電機により一体となり、回転部は発電機の回転部と直結している、
「発電機１７」の回転部に接続を上下いずれにするかは「発電機１７」の構造により決定する、
回転部は「回転翼１３」と「回転軸１４」により構成され、「回転軸１４」は多段に組立可能である本図は一例として一段重ねた図を示す。
固定部に就いて説明する。
「固定翼７」、及び「上下の保持器２」により構成され、「上下保持器２」の両側に、「ガイドローラー３」を当設する、
「発電機１７」の固定部は、保持器の上又は下に当設し、上部保持器には「吊り手１」をとりつける、本図の「発電機１７」はケースが回転の構造である。
「吊り下げ用支柱図４」に就いて説明する。
「支柱４」は「ガイドローラー３」と対応して直立し、「吊下発電図３」の、固定部を回転無しで上下に動作させる支柱である、但し此の組み合わせは、理論説明の一例を示し、上述の「吊下発電図３」の動作を満足する組み合わせであれば、他の方式でも良いものとする。「支柱４」の下部は、コンモンベースとするが据え付け場所に応じ、変形は可能とする。
「円筒８」は前述の目的により「支柱４」に当設するが、状況に応じ位置の移動も可能とする、円筒の高さは出力平均用であるから、「吊下発電３」の高さ程必要でない
「巻き上げ機図５」に就いて説明する。
「ウオーム１０」と「ウオームホイル１１」の組み合わせであるから、加重に対して停止する事ができる、何れにしても制御と共調して、上記「吊下発電図３」の機能が満足させるもので有ればよい。
【０００７】
【実施例】
「図１」に就いて説明する。
本願は他に引例を見ない構想であるので、前述各項の補助的説明を加えて後、総合的に説明する、
「図３」
固定部分の「上下保持器２」は軽量化の為アルミ系の材料を考えているが、得に限定したものではない。
「固定翼７」はステンレスの薄板使用。
多段に積み重ねの時は、各段に「ステイ１５」を入れて、「ステイ１５」の中にネジ棒を通し、「上下保持器２」の間を「ボルト１６」で締め付け保持する。
回転部分の「回転軸１４」は円筒形とし、先端は段付差込式として、多段に重ね可能とする図は一例として１段重ねた図である。
「回転翼１３」は、「回転軸１４」に溶接構造とする。
「発電機１７」の回転部分は、「回転軸１４」に取り付け、固定部分は「下部の保持器２」に取り付ける、図−３の「発電機１７」は軸が固定で、ケースが回転の構造である。
以上の物を、１体物と組み上げた「吊下発電図３」に、「ガイドローラー３」と「釣り手１」を図に示す位置に当設して「図１」に示す位置に配置します。
「図４」
「支柱４」は「発電装置図３」が上下スライド可能のスパンに直立して、下部はコンモンベース、上部は「吊り構え５」を渡して固定し、之に「発電装置図３」を吊り下げに必要な「ローラー６」を、必要数量取り付ける。
「円筒８」を「支柱４」に「吊下発電図３」の上下出来る状態に当設するが、位置は図３の取り付け寸法を見て決定する。
「円筒４」の高さは、出力調整用が主であるから、回転翼の高さ程度で充分と思う。
「図５」
図５に示す通り「ドラム９」、「ウオーム１０」、「ウオームホイル１１」、「モーター１２」を組合わせて一ブロックとし、１例として図１に見る如く「支柱４」に当設して、吊り下げ用ワイヤーを「ドラム９」に接合して、「吊下発電図３」の吊り下げ用動力源とした、
殆ど購入品で間に合い説明は省略する。
「図１」の電気制御は別置きとし、「図５」の「モーター１２」と連携して出力の均一化を行う。
以上各項の物を所定の位置に、組み込んだ物が「図１」である、
最後に之が実施応用例として、安全且つ風力の利用効率等、プロペラ型に比し大いに勝ってをり、大型より一般家庭に至るまで、利用範囲は大であり、将来プロペラ型に取って変わるのでわないかと、おもはれ、戦時に於いても平時に於いても有用な装置と思われる。
【０００８】
【発明の効果】
本発明は、序上の様な組み合わせの、吊り下げ式風力発電装置で、総合的効果を下記に列挙する。
（１）、本発明に使用の発電装置は、回転部分が固定部分により、囲まれているので、容易に吊り下げ式に、する事が出来且つ安全でもある。
（２）、本願使用の発電装置は、プロペラ式に比べ、風力の効率は大である。
（３）、本願の装置は、大容量から一般家庭まで、製作可能である。
（４）、発電装置を、支柱の据え付け場所迄、下げる事が出来るので、暴風の避難が可能であり、修理、改造、点検、等にも便利である。
（５）、発電装置は、プロペラ式に比べ、比較的軽量化に組立可能である。
（６）、吊り下げ用の支柱その他の枠組に於いても、従来の下部支え櫓仕立てに比し安価に製作可能である。
（７）、電力の安定化方式も、遮蔽用円筒を使用する事により、従来に比し遙かに簡単にして、現実的である。
（８）、設置場所はビルの屋上、ビル風応用の為のビルとビルの間、一般家庭の空間等、プロペラ形の風力発電機の用な、制約を受けない。
【０００９】
【図面の簡単な説明】
【図１】吊り子式垂直型風力発電装置の組図。
【図２】固定翼と回転翼の関係を示した垂直型風力発電機の平面断面図。
【図３】一段重ねた吊り子式垂直型風力発電機の側断面図。
【図４】発電装置の吊り下げ用枠部の組図
【図５】発電装置の吊り下げ用巻き上げ機
【符号の説明】
１吊り手
２上下保持器
３ガイドロラー
４支柱
５吊り構え
６吊り上げ用ローラー
７固定翼
８円筒
９ドラム
１０ウオーム
１１ウオームホイル
１２モーター
１３回転翼
１４回転軸
１５ステイ
１６ボルト
１７発電機
【図１】
2004308634.tif 000003
【図２】
2004308634.tif 000004
【図３】
2004308634.tif 000005
【図４】
2004308634.tif 000006
【図５】
2004308634.tif 000007
【手続補正書】
【提出日】平成15年8月7日(2003.8.7)
【手続補正１】
【補正対象書類名】明細書
【補正対象項目名】全文
【補正方法】変更
【補正の内容】
【特許請求の範囲】
【請求項１】固定翼７に囲まれた事により、吊り下げて上下移動可能な、図３に示す固定部分２，７，と回転部分１３，１４，及び発電機１７とが一体として構成した、多段式風力発電機の下部に、通過可能な円筒８を設置する、之が電気制御と吊り下げ動力と連携して、上記発電機を円筒８に出し入れする事に依り、出力の調整が可能とした、図１に示す吊り下げ式風力発電装置。
【発明の詳細な説明】
【０００１】
【本発明の属する技術分野】
本発明は、垂直型風力発電機の分野に於ける、設置方式に関わるものである
【０００２】
【従来の技術】
特許出願の時点に於いて、特許庁電子図書館に於いて調べたが、本件に係わるものは無かった。
【０００３】
【特許文献】
特開２００３−２８０４４号
【０００４】
【発明が解決しようとする課題】
従来の風力発電機にをいては、高所固定のため保守管理が困難且つ危険であった、暴風等に対しても保護方法はなかった、その他電流の安定化についても、簡単にして的確な方法は無かった、風速の有効利用とゆう点についても有効的確な方法はなかった、本願はこれらの課題に対して、有効な方法を提供するものである。
【０００５】
【課題を解決するための手段】
本発明は出願人が先に開発した、高能率な垂直形風車（特許公開２００３−２８０４４）を開発した結果、更に「吊り下げ可能な多段式垂直形風力発電機」（以下吊下発電とゆう）を利用して図１に示す吊り子式垂直型風力発電装置を思考するに至った、この方式によれば次に示す様な、より合理的且つ経済的な方策が思考されるので、之が応用の数々を下記に列挙する。
（１）上記の図３に示す吊下発電は、固定部分２，７，と、回転部分１３及び発電機１７とが一体として構成しているので、吊り下げが可能である、
（２）図３に示す吊下発電機の「上下保持器２」の両側面に対承的に「ガイドローラー３」を取り付けも、可能である。
（３）「ガイドローラー３」に対応して溝形綱等の、「ガイド用支柱４」を立てる事により固定部分は回転阻止されたまま、図３に示す吊下発電は上下に移動可能と、する事が出来る。
（４）「ガイド用支柱４」は下部を、据え付け可能の状態に構成し、上部は「吊り構え５」を渡して、之に「巻き上げ用ローラー６」を当設し、ワイヤーにより、「釣り手１」より順次ローラーを経て、図５に示す巻き上げ機の「ドラム９」に接続して、図３に示す吊下発電を吊り下げる事が出来る。
（５）「円筒８」は図３に示す吊下発電を上限近く巻き上げた状態の時、其の下部近く、図３に示す吊下発電が通過可能の状態に、「支柱４」に当設する事により、図３に示す吊下発電は風力如何により、「円筒８」に出入りして出力調整を可能とし、強風時には地上に降ろす事も可能とする。
（６）上記状態に於いて別置きの、電気制御（図示は省略）と図５に示す巻き上げ機の「モーター１２」と連携して、図３に示す吊下発電を、「円筒８」に出入りさせることに依り、出力電圧等の均一化も容易である。
（７）図３に示す吊下発電は比較的軽量化が可能であるが、釣台を付ける事も可能である。
以上の如き吊り下げ発電方式により、従来の問題点に対応し、その他据え付けの点も併せ、次の項において之が実施の形態の詳細を示す。
【０００６】
【発明の実施の形態】
従来の構造は先にも述べた、保守管理を行うには高い櫓を組み、甚だ危険であり、常時点検等も困難であった，之等の問題を解決するために、図１に示す如き「吊り下げ可能な多段式垂直型発電装置」を考えた、図３は一例として基凖的風車に一段重ねた図である、之が上部に「釣り手１」を当設し、「上下保持器２」の側面に、対象的に４個のガイドローラー３を当設した、
図４は吊り下げ用支柱の組図を示す、溝型の型材である「支柱４」を向かい合わせて、「ガイドローラー３」に接して直立し、下部は据え付け場所に対応した状態に、コンモンベースとして組あげる、上部は「吊り構え５」を渡して其の上に「吊り上げ用ローラー６」を必要数量取り付ける。
ワイヤーにより吊り下げ方法については、図１に示す「釣り手１」より「吊り上げ用ローラー６」を介して図５に示す巻き上げ機の「ドラム９」とを接続して、図３に示す吊下発電を巻き上げて図１に示す如く吊り下げる。
次に図１に示す吊り下げ発電組図の「円筒８」に就いて説明する、
此の「円筒８」の位置は図３に示す吊下発電が吊り下げ位置の最上部に位置した時、其の下部を目標として、「支柱４」に図３に示す吊下発電が内部を通過出来る様に当設する、此の「円筒８」の目的は、図５に示す巻き上げ機により図３に示す吊り下げ発電を操作して、「円筒８」に出し入れする事により、電力の安定化を行う事と、必要以上の強風の時、図３に示す吊下発電を格納する為である、その他修理点検改装等の時は、「円筒８」を通過して地上に降ろす事も可能とした、
次に図５に示す巻き上げ機に就いて説明する、
吊り下げワイヤーの先端は図５の「ドラ厶９」に接続し、「ドラム９」は「ウオー厶１０」、「ウオームホイル１１」、「モーター１２」により作動して、吊り下げられた図３に示す吊下発電を上下に作動する、此の作動は本願を制御する制御盤と連携して、電圧の変動又は回転数の変動に応じて図５に示す巻き上げ機を作動させる事により、容易に出力の均一化をはかる事が出来る、図５に示す巻き上げ機の取り付け場所は、設備位置に応じ、適当な処を選定して装着するものとする。
図３に示す吊下発電に就いて説明する。
回転部１３と固定部２，７，と発電機１７により一体となり、回転部１３は発電機１７の回転部分（此の発電機は軸が固定）と直結している、
「発電機１７」を回転部１３に接続を上下いずれに装着するかは「発電機１７」の構造により決定する、
回転部分は「回転翼１３」と「回転軸１４」を溶接構造等で当設する事により構成され、「回転軸１４」は円筒形とし、先端は段付差込式として多段に組立可能である、本図は一例として一段重ねた図を示す。
固定部に就いて説明する。
「固定翼７」、及び「上下の保持器２」により構成され、「上下保持器２」の両側に、「ガイドローラー３」を当設する。
「発電機１７」の固定部は、保持器の上又は下に当設し、上部保持器には「吊り手１」をとりつける、
図４に示す吊り下げ用支柱に就いて説明する。
「支柱４」は「ガイドローラー３」と対応して直立し、図３に示す吊下発電の、固定部を回転無しで上下に動作させる支柱である、但し此の組み合わせは、理論説明の一例を示し、上述の図３に示す吊下発電の動作を満足する組み合わせであれば、他の方式でも良いものとする。「支柱４」の下部は、コンモンベースとするが据え付け場所に応じ、変形は可能とする。
「円筒８」は前述の目的により「支柱４」に当設するが、状況に応じ位置の移動も可能とする、円筒８は出力平均用である、
図５に示す巻き上げ機に就いて説明する。
「ウオーム１０」と「ウオームホイル１１」の組み合わせであるから、加重に対して途中停止する事ができる、何れにしても制御と共調して、図５に示す吊下発電の機能が満足させるもので有ればよい。
これらのものを組み合わせて、図１に示す吊り子式垂直型風力発電装置を組み上げ解決の方法とした。
【０００７】
【実施例】
本願は他に引例を見ない構想であり、現在稼働している風力発電機の全てに代用可能の物であるとおもはれるが、従来以上利用有利と思はれる点を上げてみる。
１，本機は回転翼を、固定翼で包んでいるので安全で、家庭向きである。
２，本機は多段式であるから、比較的弱風でも稼働し、家庭むきである。
３、本機は地上に吊り下げる事が可能であり、保守管理が楽である。
以上之が実施応用例としては、安全且つ風力の利用効率等、プロペラ型に比し大いに勝ってをり、大型より一般家庭用に至るまで、利用範囲は大であり、現代日本の、地球温暖化、環境汚染等、電気事情の一助となるものではあるまいか。
【０００８】
【発明の効果】
本発明は、序上の様な組み合わせの、吊り下げ式風力発電装置で、総合的効果を下記に列挙する。
（１）、本発明に使用の図３に示す吊り子発電は、回転部分が固定部分により、囲まれているので、容易に吊り下げ式に、する事が出来且つ安全でもある。
（２）、本願使用の図３に示す吊り子発電は、風力の増速機能を有しているので、風力の効率が大である、之に比して従来の風力発電は風速を分力して使用しているので、プロペラ式に比べ、風力の効率の差が大である。
（３）、本願の装置は、大容量から一般家庭まで、製作可能である。
（４）、発電装置を、支柱の据え付け場所迄、下げる事が出来るので、暴風の避難が可能であり、修理、改造、点検、等にも便利である。
（５）、発電装置は、プロペラ式に比べ、比較的軽量化に組立可能である。
（６）、吊り下げ用の支柱その他の枠組に於いても、従来の下部支え櫓仕立てに比し安価に製作可能である。
（７）、電力の安定化方式も、遮蔽用円筒を使用する事により、従来に比し遙かに簡単にして、現実的である。
（８）、設置場所はビルの屋上、ビル風応用の為のビルとビルの間、一般家庭の空間等、風力の効率が大であるので、比較的弱風でも応用ができ、プロペラ形の風力発電機の用な、制約を受けない。
【０００９】
【図面の簡単な説明】
【図１】吊り子式垂直型風力発電装置の組図。
【図２】固定翼と回転翼の関係を示した垂直型風力発電機の平面断面図。
【図３】一段重ねた吊り子式垂直型風力発電機の側断面図。
【図４】発電装置の吊り下げ用枠部の組図
【図５】発電装置の吊り下げ用巻き上げ機
【符号の説明】
１吊り手
２上下保持器
３ガイドロラー
４支柱
５吊り構え
６吊り上げ用ローラー
７固定翼
８円筒
９ドラム
１０ウオーム
１１ウオームホイル
１２モーター
１３回転翼
１４回転軸
１５ステイ
１６ボルト
１７発電機




【手続補正書】
【提出日】平成15年12月4日(2003.12.4)
【手続補正１】
【補正対象書類名】明細書
【補正対象項目名】全文
【補正方法】変更
【補正の内容】
【特許請求の範囲】
【請求項１】
回転翼１３回転軸１４発電機１７により、構成された回転部分を、固定翼７上下保持器２により、構成された固定部分により、保持して一体となしたる多段式風力発電機の上部に当設した、釣り手１より、吊り構え５に当設した吊り上げ用ローラー６を介して、吊り上げ用巻き上げ機のドラム９に至るワイヤーにより、多段式風力発電機を吊り下げた下部近くに、吊り下げた発電機が通過可能な円筒８を支柱４に設置する、之を電気制御と吊り下げ動力と連携して、風力如何により、上記発電機を円筒８に出し入れする事により、出力の調整を可能とした、吊り下げ式風力発電装置
【発明の詳細な説明】
【０００１】
【本発明の属する技術分野】
本発明は、垂直型風力発電機の分野に於ける、設置方式に関わるものである。
【０００２】
【背景技術】
特許出願の時点に於いて、特許庁電子図書館に於いて調べたが、本件に係わるものは無か
った。
【０００３】
【特許文献】特開２００３−２８０４４号
【０００４】
【発明が解決しようとする課題】
従来の風力発電機にをいては、高所固定のため保守管理が困難且つ危険であった、暴風等に対しても保護方法は無かった、その他電流の安定化についても、簡単にして的確な方法は無かった、風速の有効利用とゆう点についても有効的確な方法はなかった、本願はこれらの課題に対して、有効な方法を提供するものである。
【０００５】
【課題を解決するための手段】
本発明は出願人が先に開発した、高能率な垂直形風車（特許公開２００３−２８０４４）を開発した結果、更に「吊り下げ可能な多段式垂直形風力発電機」（以下吊下発電とゆう）を利用して、図１に示す吊り下げ式垂直形風力発電装置を思考するに至った、この方式によれば次に示す様な、より合理的且つ経済的な方策が思考されるので、之が応用の数々を下記に列挙する。
（１）図３に示す吊り下げ発電は、上下保持器２と固定翼７により、回転翼１３と発電機１７を保持して、一体として構成しているので、容易に吊り下げが可能である。
（２）図３に示す吊下発電機の「上下保持器２」の両側面に対称的に「ガイドローラー３」を取り付けも、可能である。
（３）「ガイドローラー３」に対応して溝形綱等の「ガイド用支柱４」を立てる事により、吊下発電は上下に移動可能とする事が出来る。
（４）図１に示す「ガイド用支柱４」は下部を、据付可能の状態に構成し、上部は「吊り構え５」を渡して、之に「巻き上げ用ローラー６」を当設し、ワイヤーにより「釣り手１」より順次ローラーを経て、図５に示す巻き上げ機の「ドラム９」に接続して、図３に示す吊下発電を吊り下げる事が出来る。
（５）「円筒８」は図３に示す吊下発電を上限近く巻き上げた状態の時、その下部近く、図３に示す吊下発電が通過可能の状態に「支柱４」に当設する事により、図３に示す吊下発電は風力如何により「円筒８」に出入りして出力調整を可能とし、強風時には地上に降ろす事も可能とする。
（６）上記状態に於いて別置きの、電気制御（図示は省略）と図５に示す巻き上げ機の「モーター１２」と連携して、図３に示す吊下発電を「円筒８」に出入りさせる事により、出力電圧等の均一化も容易である。
（７）図３に示す吊下発電は比較的軽量化が可能であるが、釣合を付ける事も可能である。
以上の如き吊り下げ発電方式により、従来の問題点に対応し、その他据付の点も併せ、次の項にをいて之が実施の形態の詳細を示す。
【０００６】
【発明を実施するための最良の形態】
従来の構造は先にも述べた、保守管理を行うには高い櫓を組み、甚だ危険であり、常時点検等も困難であった、之等の問題を解決するために、図１に示す如き「吊り下げ可能な多段式垂直型風力発電装置」を考えた、図３は一例として基準的風車に一段重ねた図である、之が上部に「釣り手１」を当設し、「上下保持器２」の側面に、対象的に４個の「ガイドローラー３」を当設した、
図４は吊り下げ用支柱の組図を示す、溝型の型材である「支柱４」を向かい合わせて「ガイドローラー３」に接して直立し、下部は据付場所に対応した状態に、コンモンベースとして組み上げる、上部は「吊り構え５」を渡してその上に「吊り上げ用ローラー６」を必要数量取り付ける。
ワイヤーにより吊り下げ方法については、図１に示す「釣り手１」より「吊り上げ用ローラー６」を介して図５に示す巻き上げ機の「ドラ厶９」とを接続して、図３に示す吊下発電を巻き上げて図１に示す如く吊り下げる。
次に図１に示す吊り下げ発電組図の「円筒８」に就いて説明する、
此の「円筒８」の位置は図３示す吊下発電が吊り下げ位置の最上部に位置した時、其の下部を目標として、「支柱４」に図３に示す吊り下げ発電が内部を通過出来る様に当設する、此の「円筒８」の目的は図５に示す巻き上げ機により図３に示す吊り下げ発電を操作して、「円筒８」に出し入れする事により、電力の安定化を行う事と、必要以上の強風の時、図３に示す吊下発電を格納する為である、
その他修理点検改装等の時は、「円筒８」を通過して地上に降ろす事も可能とした、
次に図５に示す巻き上げ機に就いて説明する、
吊り下げワイヤーの先端は図５「ドラム９」に接続し、「ドラム９」は「ウオーム１０」、「ウオーホイル１１」、「モーター１２」により作動して、吊り下げられた図３に示す吊下発電を上下に作動する、此の動作は本願を制御する制御盤と連携して、電圧の変動又は回転数の変動に応じて図５に示す巻き上げ機を作動させる事により、容易に出力の均一化をはかる事が出来る、図５に示す巻き上げ機の取り付け場所は、設備位置に応じ、適当な位置を選定して装着するものとする。
図３に示す吊下発電に就いて説明する。
回転部分は「回転翼１３」と「回転軸１４」と「発電機１７」（此の発電機は軸が固定）が直結され、固定部分は「固定翼７」と「上下保持器２」により構成されて、固定部分が回転部分を保持して、一体となしたものである、
「発電機１７」を「回転翼１３」に接続を上下いずれに装着するかは「発電機１７」の構造により決定する、
回転部分は「回転翼１３」と「回転軸１４」を溶接構造等で当設する事により構成され、「回転軸１４」は円筒形とし、先端は段付差込式として多段に組立可能である、本図は一例として一段重ねた図を示す。
固定部に就いて説明する。
「固定翼７」及び「上下保持器２」により構成され、「上下保持器２」の両側に「ガイドローラー３」を当設する。
「発電機１７」の固定部は、「上下保持器２」の上又は下に当設し、上部保持器には「吊り手１」をとりつける、
図４に示す吊り下げ用支柱に就いて説明する。
「支柱４」は「ガイドローラー３」と対応して直立し、図３に示す吊り下げ発電の固定部を回転無しで上下に動作させる支柱である、但し此の組み合わせは、理論説明の一例を示し、上述の図３に示す吊り下げ発電の動作を満足する組み合わせであれば、他の方式でも良いものとする、「支柱４」の下部は、コンモンベースとするが、据付場所に応じ変形は可能とする。
「円筒８」は前述の目的により「支柱４」に当設するが、状況に応じ位置の移動も可能とする、「円筒８」は出力平均用である。
図５に示す巻き上げ機に就いて説明する。
「ウオウーム１０」と「ウオウームホイル１１」の組み合わせであるから、加重に対して途中停止する事が出来る、何れにしても制御と強調して、図３に示す吊り下げ発電の動作を満足させるもので有ればよい。
これらのものを組み合わせて、図１に示す吊り子式垂直型風力発電装置を組み上げ解決の方法とした。
【０００７】
【実施例】
本願は他に引例を見ない構想であり、現在稼働している風力発電機の全てに代用可能の物であるとおもはれるが、従来以上利用有利と思はれる点を上げてみる、
１，本機は「回転翼１３」を「固定翼７」で包んでいるので安全で、家庭向きである
２，本機は多段式であるから、比較的弱風でも稼働し、家庭向きてある。
３，本機は地上に吊り下げる事が可能であり、保守管理が楽である。
以上之が実施応用例としては、安全且つ風力の利用効率等、プロペラ型に比し大いに勝ってをり、大型より一般家庭用に至るまで、利用範囲は大であり、現代日本の地球温暖化、環境汚染等、電気事情の一助となるものである。
【０００８】
【発明の効果】
本発明は、序上の様な組み合わせの、吊り下げ式風力発電装置で、総合的効果を下記に列挙する。
（１）、本発明に使用の図３に示す吊り子発電は、回転部分が固定部分により、囲まれているので、容易に吊り下げ式に、する事が出来且つ安全である。
（２）、本願の装置は大容量から一般家庭用まで、製作可能である。
（３）、発電装置を支柱の据付場所まで、下げる事が出来るので暴風の避難が可能であり、修理、改造、点検、当にも便利である。
（４）、発電装置はプロペラ式に比べ、比較的軽量化に組立可能である。
（５）、吊り下げ用の支柱その他の枠組に於いても、従来の下部支え櫓仕立てに比し安価に製作可能である。
（６）、電力の安定化方式も、遮蔽用円筒を使用する事により、従来に比し遙かに簡単にして、現実的である。
【０００９】
【図面の簡単な説明】
【図１】吊り子式垂直型風力発電装置の組図。
【図２】固定翼と回転翼の関係を示した垂直型風力発電機の平面断面図。
【図３】一段重ねた吊り子式垂直型風力発電機の側断面図。
【図４】発電装置の吊り下げ用枠部の組図
【図５】発電装置の吊り下げ用巻き上げ機
【符号の説明】
１吊り手
２上下保持器
３ガイドロラー
４支柱
５吊り構え
６吊り上げ用ローラー
７固定翼
８円筒
９ドラム
１０ウオーム
１１ウオームホイル
１２モーター
１３回転翼
１４回転軸
１５ステイ
１６ボルト
１７発電機